(57)【要約】【課題】  本発明は、あらゆる衣服の、あらゆる位置にボタンを取り付けることができ、かつ、ボタンの種類を自由に変えることができるボタン具を提供することを目的とする。【解決手段】  小径の柱状部の上端，下端にそれぞれ該柱状部より大径の頭部，下端部を有するボタンと、該ボタンを、衣服の前記ボタンを取り付けたい位置に固定保持させるためのボタンプレートとよりなるボタン具であって、前記ボタンプレートは、前記ボタンの下端部を上下方向より挿入可能なボタン挿入用孔２１と、前記ボタン下端部より小径のボタン固定用孔２２とを開口幅の小さい連結孔２３で連結してなる丸型ダンベル型開口２０を有するプレート１１部を有する上側プレート１２と、該上側プレート１２の下方に配置された、前記上側プレート１２との間に衣服の布地を挟み込む下側プレート１４とよりなり、かつ、前記上側、下側の両プレート１２，１４により挟まれる衣服の布地３１の上側に、前記ボタンの下端大径部３２ｂが位置し得る空間を持つ。【選択図】  図１
2010273806.tif 000002
【特許請求の範囲】
【請求項１】
小径の柱状部の上端，下端にそれぞれ該柱状部より大径の頭部，下端部を有するボタンと、該ボタンを、衣服の前記ボタンを取り付けたい位置に固定保持させるためのボタンプレートとよりなるボタン具であって、
前記ボタンプレートは、
前記ボタンの下端部を上下方向より挿入可能なボタン挿入用孔と、前記ボタンの下端部より小径のボタン固定用孔とを開口幅の小さい連結孔で連結してなる丸型ダンベル型開口を有するプレート部を有する上側プレートと、
該上側プレートの下方に配置された、前記上側プレートとの間に衣服の布地を挟み込む下側プレートとよりなり、かつ、
前記上側、下側の両プレートにより挟まれる衣服の布地の上側に、前記ボタンの下端大径部が位置し得る空間を持つものである、
ことを特徴とするボタン具。
【請求項２】
請求項１に記載のボタン具において、
前記上側プレートは、
前記丸型ダンベル型開口を有するプレート部を有するボタン固定用プレートと、
該ボタン固定用プレートの下方に位置し、前記丸型ダンベル型開口をカバーする大きさのボタン移動用開口を有し、ほぼ平板矩形状の布地表面支持用プレートとよりなり、
前記下側プレートは、前記布地表面支持用プレートとの間で、衣服の布地を挟み込むほぼ平板矩形状の布地裏面支持用プレートよりなる、
ことを特徴とするボタン具。
【請求項３】
請求項１に記載のボタン具において、
前記布地裏面支持用プレートは、ネクタイピンの本体部を形成するものである、
ことを特徴とするボタン具。
【請求項４】
請求項１に記載のボタン具において、
前記上側プレートは、
ほぼお椀型の形状をしており、その頂面部に丸型ダンベル型開口を有するボタン固定用プレート部を有し、その周縁下面部にほぼ矩形開口縁部を有する布地表面支持用プレートにより構成され、
前記下側プレートは、前記布地表面支持用プレートとの間に衣服の布地を挟み込むほぼ平板状の布地裏面支持用プレートよりなる、
ことを特徴とするボタン具。
【発明の詳細な説明】
【技術分野】
【０００１】
本発明は、ボタンを衣服に取り付け可能なボタン具に関するものである。
【背景技術】
【０００２】
従来、例えば、外出先で、衣服からボタンが外れた場合、携帯用の裁縫セットなどから針や糸を取り出して、ボタンを衣服に縫い付けなければならなかった。しかし、針や糸を取り出して、ボタンを衣服に縫い付けるには、時間と場所が必要であり、面倒であった。
【０００３】
この課題を解決するために、例えば、予めボタンが取り付けられたクリップを衣服に取り付ける技術が提案されている（特許文献１）。
【先行技術文献】
【特許文献】
【０００４】
【特許文献１】特開２００５−７３７９７号公報
【発明の概要】
【発明が解決しようとする課題】
【０００５】
しかし、上述した特許文献１の発明では、予めボタンが取り付けられたクリップを衣服に取り付けることから、ボタンの位置や種類を自由に変えることができない。さらに、予め決められたボタンしか取り付けることができず、ボタンの種類を自由に変えることもできない。さらに、衣服の生地が厚くなるほど、取り付けが不安定になる。
【０００６】
したがって、本発明は、あらゆる衣服の、あらゆる位置に取り付けることができ、かつ、ボタンの種類を自由に変えることができるボタン具を提供することを目的とする。
【課題を解決するための手段】
【０００７】
上記課題を解決するために、本発明にかかるボタン具は、小径の柱状部の上端，下端にそれぞれ該柱状部より大径の頭部，下端部を有するボタンと、該ボタンを、衣服の前記ボタンを取り付けたい位置に固定保持させるためのボタンプレートとよりなるボタン具であって、前記ボタンプレートは、前記ボタンの下端部を上下方向より挿入可能なボタン挿入用孔と、前記ボタンの下端部より小径のボタン固定用孔とを開口幅の小さい連結孔で連結してなる丸型ダンベル型開口を有するプレート部を有する上側プレートと、該上側プレートの下方に配置された、前記上側プレートとの間に衣服の布地を挟み込む下側プレートとよりなり、かつ、前記上側、下側の両プレートにより挟まれる衣服の布地の上側に、前記ボタンの下端大径部が位置し得る空間を持つものである、ことを特徴とする。
【０００８】
また、本発明のボタン具は、請求項１に記載のボタン具において、前記上側プレートは、ほぼお椀型の形状をしており、その頂面部に丸型ダンベル型開口を有するボタン固定用プレート部を有し、その周縁下面部にほぼ矩形開口縁部を有する布地表面支持用プレートにより構成され、前記下側プレートは、前記布地表面支持用プレートとの間に衣服の布地を挟み込むほぼ平板状の布地裏面支持用プレートよりなる、ことを特徴とする。
【発明の効果】
【０００９】
本発明のボタン具は、上記の構成により、ボタンを、衣服に対し、糸を用いることなく、簡単に取り付け可能となる。また、簡単な金型により製造できるものを、得られる。
【図面の簡単な説明】
【００１０】
【図１】本実施の形態１に係るボタン具を示す図であり、図１（ａ）はボタンプレートおよびボタンを示す図、図１（ｂ）はボタンプレートの正面図、図１（ｃ）はボタンプレートの右側面図、図１（ｄ）はボタンプレートの左側面図である。
【図２】本実施の形態１に係るボタンプレートの分解図であり、図２（ａ）はボタンプレート１０の平面図、図２（ｂ）はボタンプレート１０の正面図、図２（ｃ）はボタンプレート１０の右側面図である。
【図３】本実施の形態１に係るボタン具の使用状況を示す図であり、図３（ａ）はボタンプレートに布地を挿入する前の状態を示す図、図３（ｂ）はボタンプレートに布地を挿入した後の状態を示す図、図３（ｃ）はボタンプレートにボタンを挿入する前の状態を示す図、図３（ｄ）はボタンプレートにボタンを挿入した後の状態を示す図、図３（ｅ）はボタンプレートに挿入したボタンを移動させる様子を示す図、図３（ｆ）はボタンプレートに挿入したボタンを移動させた後の状態を示す図である。
【図４】本実施の形態１に係るボタンプレートの孔の形状を説明するための図である。
【図５】本実施の形態１に係るボタンプレートの変形例を示す図である。
【図６】本実施の形態２に係るボタンプレートを示す図であり、図６（a）は、その上面図、図６（ｂ）は、その側面図である。
【発明を実施するための形態】
【００１１】
以下、本発明の実施の形態について、図面を参照しながら説明する。
【００１２】
（実施の形態１）
本発明の実施の形態１に係るボタン具について、図１、図２を用いて説明する。
【００１３】
本実施の形態１に係るボタン具１００においては、図１、図２に示すように、ボタンプレート１０は、上側プレートと、下側プレートを構成する全部で５層のプレートよりなり、ボタン固定用プレート１１は平板長方形状のもので、ボタン挿入用孔２１と、これより小径のボタン固定用孔２２と、両孔を連結する開口幅の小さい連結孔２３とよりなる丸型ダンベル型開口２０を有する。
【００１４】
布地表面支持用プレート１２は、ボタン固定用プレート１１の下方に配置され、ほぼ平板長方形状のもので、前記丸型ダンベル型開口２０をカバーする大きさのボタン移動孔２４を有する。
【００１５】
上記ボタン固定用プレート１１と、布地表面支持用プレート１２とで、上側プレートを構成する。
【００１６】
布地裏面支持用プレート１４は、ほぼ平板長方形状のもので、布地表面支持用プレート１２の下方のこれとほぼ平行に配置されている。かつ、該布地裏面支持用プレート１４は、上記ボタン移動孔２４の同じ大きさを持つ開口の孔２５を有する。該布地裏面支持用プレート１４により、下側プレートを構成する。
【００１７】
厚さ調整用プレート１３は、布地表面支持用プレート１２の一部の直下に、布地表面支持用プレート１２と布地裏面支持用プレート１４との間隔の調整用に配置されている。
【００１８】
さらに、布地裏面支持用プレート１４の下方には、布地裏面支持用プレートを補強する補強用プレート１５が配置されている。
【００１９】
ボタンプレート１０は、これらボタン固定用プレート１１，布地表面支持用プレート１２，厚さ調整用プレート１３，布地裏面支持用プレート１４および補強用プレート１５を、例えば、その一方端側で圧着して一体化することにより製造できる。なお、厚さ調整用プレート１３，補強用プレート１５は、必ずしも必要ではない。
【００２０】
一方、ボタン３２は、小径の柱状部３２ｃの上端，下端に、これより大径の円形頭部３２ａ，および円形下端部３２ｂをそれぞれ、有する。ここで、円形下端部３２ｂは、上記開口２０のボタン固定用孔２２より大径である。
【００２１】
以上のように構成されるボタン具１００の使用について、図３を用いて説明する。
【００２２】
ボタンプレート１０の布地表面支持用プレート１２と布地裏面支持用プレート１４とは、該ボタンプレート１０の一方側に、両プレート１２，１４によってほぼＶ字型入口を有する形状となっており、該Ｖ字型口に、図３（ａ），（ｂ）に示すように、衣服の右側部分３１を挟みこんでいった後に、ボタン３２を、図３（ｃ），（ｄ）に示すように、上下方向より、ボタン固定用プレート１１のボタン挿入用孔２１、及び布地表面支持用プレート１２のボタン移動孔２４内に差し込む。この際、ボタン挿入用孔２１は大径に形成されているので、ボタン３２の下端部３２ｂもこれを通過できる。
【００２３】
次に、布地表面支持用プレート１２のボタン移動孔２４の内部では、ボタン３２の下端部３２ｂは移動可能であるため、ボタン３２を、図３（ｅ）に示すように、開口幅の小さい連結孔２３を介してボタン固定用プレート１１のボタン固定用孔２２内まで移動させる。
【００２４】
ボタン３２がこの孔２２の位置に至ったのちは、該ボタン３２から手を放すと、布地３１の厚み等により、ボタン２３は上方に押し上げられてその下端部３２ｂがボタン固定用孔２２と係合し、該ボタン３２はボタンプレート１０に固定，保持される。この状態で、上記衣服の右側部分３１は、上記両プレート１２，１４により挟まれて該ボタンプレート１０に固定されている。
【００２５】
したがって、この状態で、ボタン３２の頭部３２ａを、衣服の左前側部分３０からボタン穴（図示せず）を介して露出させることにより、ボタンがけを行うことができる。
【００２６】
一方、ボタンがけをはずすときは、上記と全く逆の動作を、行えばよい。
【００２７】
本実施の形態１のボタン具においては、ボタン固定用プレート１１の孔２１の形状は、ボタン３２の下端部３３の形状に合わせて変更できる。例えば、ボタン下端部３２ｂが、図４に示すように六角形の場合は、ボタン挿入用孔２１も六角形にし、ボタン下端部３４ｂがハート型の場合は、ボタン挿入用孔２１も六角形にする。このように、ボタン３２と、ボタンプレート１０との固有の対を持つことにより、本ボタン具は、ボタン、または、ボタンプレートの一方を他人に使用されるのを防ぐことができる。
【００２８】
また、上記において、厚さ調整用プレート１３は、布地３１を挟み込む隙間を作る役割を果たし、ボタンを取り付ける衣服の種類に応じて、厚さ調整用プレート１３の厚さを変えればよい。
【００２９】
また、布地裏面支持用プレート１４は布地裏面支持用プレート１２とで衣服の生地を挟むバネの役目をも果たしており、布地裏面支持用プレート１４によるバネの強度を上げたい場合に、上記補強用プレート１５は補助プレートとして有用である。
【００３０】
また、本実施の形態１では、ボタン固定用プレート１１において、ボタン挿入用孔２１がボタン固定用孔２２より大きく、かつ、ボタン挿入用孔２１が、衣服の左前側部分の外側に位置する構成について例示したが、このボタン挿入用孔２１とボタン固定用孔２２の位置関係、ならびに、孔の大小関係については、おのおの逆の構成としてもよい。
【００３１】
以上のように、本実施の形態１に係るボタン具によれば、糸を用いることなく、ボタンがけを行うことができ、したがって、針作業を必要としないボタン具を得ることができる。しかも、ボタン３２、および布地表面支持用プレート１２の形状を、使用者の好みの特有の形状にすれば、他人に使われることのないボタン具を得られる。
【００３２】
なお、ボタン固定用プレート１１、布地表面支持用プレート１２、布地裏面支持用プレート１４の形状は上述したものに限るものではなく、任意の形状のものでよい。
【００３３】
また、上記布地裏面支持用プレート１４は、布地表面支持用プレート１２のボタン移動孔２４と同じ大きさの開口２５を有するものであり、この場合、ボタン３４の前記ボタン移動孔２４内への挿入時に、該ボタン３４の上下方向位置に余裕を持って操作を行え、ボタンの取り付け作業をより容易にできるが、この開口２５は、必ずしも設けなくてもよい。
【００３４】
また、本実施の形態１の変形例として、上記布地裏面支持用プレート１４を、図５に示すネクタイピン本体５１を用いて構成してもよい。
【００３５】
この場合、ネクタイピンのピンに相当するボタン３４は、そのまま外に露出するものであり、上記図１〜図４におけるように、布地３１と反対側の衣服の布地３０にボタンがけをするものではない。
【００３６】
（実施の形態２）
本発明の実施の形態２に係るボタン具について、図６を用いて説明する。
【００３７】
本実施の形態２に係るボタン具１００においては、図６に示すように、ボタンプレートを構成する上側プレートは、ほぼお椀型の形状をしている、その頂面部に丸型ダンベル型開口２０を有するボタン固定用プレート１１部を有し、その周縁下面部が、ほぼ矩形開口縁部を有するよう形成された布地表面支持用プレート１２により構成され、ボタンプレートを構成する下側プレートは、実施の形態１と同様のほぼ平板矩形状の布地裏面支持用プレート１４とよりなる。
【００３８】
すなわち、より詳細には、ボタン固定用プレート部１１は、実施の形態１と同様の、
ボタン挿入用孔２１と、これより小径のボタン固定用孔２２と、これらを連結する開口幅の小さい連結孔２３とよりなる丸型ダンベル型開口２０を有し、布地表面支持用プレート１２は、その頂面部に上記ボタン固定用プレート部１１を有するよう、その周縁下面部に、ほぼ矩形開口縁部を有するように形成されている。
【００３９】
さらに、布地表面支持用プレート１２は、その矩形開口縁部の一方端に垂直壁２ａを有し、該垂直壁２aは、該布地表面支持用プレート１２の他方側の先端面１２ｂが、布地裏面支持用プレート１４の上面上に接するように、該布地裏面支持用プレート１４の一端側の位置に植設されている。
【００４０】
このように、布地裏面支持用プレート１４に対して、布地表面支持用プレート１２は、他端側ほどその布地裏面支持用プレート１４との間隔が狭くなっていくよう配置され、これにより、両プレート１２，１４間に、布地を強く挟めるようになっている。
【００４１】
なお、この布地裏面支持用プレート１４は、実施の形態１におけると同様に、前記孔部２１，２２，２３よりなる丸型ダンベル型開口２０をカバーする開口を有する構成としてもよい。
【００４２】
本実施の形態２のボタン具１００の使用方法も、実施の形態１の使用方法とほぼ同様である。
【００４３】
このような本実施の形態２のボタン具においては、実施の形態１に比較し、上記厚さ調整用プレート１３、補強用プレート１５がなく、かつ、ボタン固定用プレート１１の大きさが小さく、軽いものとなって簡易な構成となっており、かつ、このため、簡単な金型による成型で形成できるものとなっている。
【産業上の利用可能性】
【００４４】
本発明は、衣服にボタンを取り付ける従来のボタンに変わるものとして、有用である。
【符号の説明】
【００４５】
１０  ボタンプレート
１１  ボタン固定用プレート
１２  布地表面支持用プレート
１３  厚さ調整用プレート
１４  布地裏面支持用プレート
１５  補強用プレート
２１  ボタン挿入用孔
２２  ボタン固定用孔
２３  連結孔
２４  ボタン移動孔
２５  孔
３１  布地
３２、３３  ボタン
３２ａ、３３ａ  ボタンの頭部
３２ｂ、３３ｂ  ボタン下端部
３２ｃ、３３ｃ  柱状部
５１  ネクタイピン
１００  ボタン具
【図１】
2010273806.tif 000003
【図２】
2010273806.tif 000004
【図３】
2010273806.tif 000005
【図４】
2010273806.tif 000006
【図５】
2010273806.tif 000007
【図６】
2010273806.tif 000008